(57)【特許請求の範囲】
【請求項１】
タイル成形用モ−ルド内に樹脂を注入して硬化させたタイルであって、四周縁部に表面及び裏面より面取部を形成した装飾体となるプレ−ト部と、このプレ−ト部の裏側より立ち上がる壁装着用突起と、当該プレ−ト部の裏側に充填したシ−リング材と、よりなることを特徴とする壁装飾用タイル。
【請求項２】
前記樹脂がＡＢＳ又はＰＶＣである請求項第１項記載の壁装飾用タイル。
【請求項３】
前記シ−リング材がシリコン系シ−リング材である請求項第１項記載の壁装飾用タイル。
【請求項４】
前記突起部にその先端から基部に至るスリット又は空胴部を形成した請求項１記載の壁装飾用タイル。
【請求項５】
前記樹脂中に着色剤を加えた請求項１〜請求項４のいずれか１項に記載の壁装飾用タイル。
【請求項６】
前記樹脂中に抗菌剤及び／又は防黴剤を加えた請求項１〜請求項５のいずれか１項に記載の壁装飾用タイル。
【請求項７】
前記プレ−ト部の少なくとも表面にアクリル樹脂塗装を施した請求項１〜請求項６のいずれか１項に記載の壁装飾用タイル。
【請求項８】
単一パネルを連接してユニットル−ムを組み立て、当該ユニットル−ムの内面の所望の位置に穿孔部を形成し、この穿孔部に請求項１項記載の壁装飾タイルの突起を挿入してタイルの位置を特定すると共に、ユニットル−ムの内面に前記タイル裏面のシ−リング材を当接して接着したことを特徴とする加飾性を施したユニットル−ム。
【発明の詳細な説明】
【０００１】
【発明の属する技術分野】
本発明は壁装飾用タイル及びそれを用いたユニットル−ムに関する。
【０００２】
【従来の技術】
近年、樹脂製の単位パネルを順次組合せてユニットル−ムを構成することが多くなり、例えばユニットバスル−ムが集合住宅のみならず戸建住宅にも広く採用されている。かかる単位パネルは、プレ−ト部と、その裏面に縦横に形成されたリブ部と、裏面の周囲のフランジ部とからなっており、このフランジ部を順次連接することによって例えばユニットバスル−ムが構成されている。この単位パネルは通常はＦＲＰ製であり、そのプレ−ト部の表面は平滑な或いは微細な凹凸形状をなしている。
【０００３】
従って、かかる単位パネルを用いたユニットバスル−ムにあっては、ル−ム内の表面が比較的装飾性のない単調な面や色彩をなしており、それ程見栄えがせずかつあまり暖かみのないものとなっている。
【０００４】
【発明が解決しようとする課題】
本発明はこのような従来の技術に鑑みてなされたものであり、装飾性に優れたタイルの提供と、これを用いてユニットル−ムに加飾性を付与しようとするものである。
【０００５】
【課題を解決するための手段】
即ち、本発明の第１は、タイル成形用モ−ルド内に樹脂を注入して硬化させたタイルであって、装飾体となるプレ−ト部と、このプレ−ト部の裏側より立ち上がる壁装着用突起と、当該プレ−ト部の裏側に充填したシ−リング材と、よりなることを特徴とする壁装飾用タイルである。
【０００６】
本発明の第２は、単一パネルを連接してユニットル−ムを組み立て、当該ユニットル−ムの内面の所望の位置に穿孔部を形成し、この穿孔部に前記した壁装飾タイルの突起を挿入してタイルの位置を特定すると共に、ユニットル−ムの内面に前記タイル裏面のシ−リング材を当接して接着したことを特徴とする加飾性を施したユニットル−ムを提供するものである。
【０００７】
【発明の実施の形態】
本発明の第１のタイルにあって、特に好ましい形態にとしては前記したようにプレ−ト部の四周縁部に表面及び裏面より面取部を形成するものであって、裏面側の面取部にはシ−リング材を充填させるものである。この裏面側の面取部におけるシ−リング材は、タイルが壁に装着された際にプレ−ト部と壁との間を完全に埋めるためのものである。
【０００８】
又、タイルの裏面より突出する突起にあっては、壁に対するタイルの位置決めをなすものであるが、その先端部より基部に至る長手方向にスリット又は空胴部を形成することがよく、こうすることによってタイルの成形時にプレ−ト部の表面に発生する樹脂のヒケによる荒れを防止できることとなったものである。
尚、突起は断面円形の円筒又は円柱状が一般的ではあるが、場合によっては、その先端に小さな傘状の膨出部を形成して壁との間の装着性を向上することも可能である。
【０００９】
シ−リング材としては好ましくはシリコン系シ−リング材が用いられ、壁の表面とタイルの裏面との間に隙間を形成することなく装着することとなる。
【００１０】
タイルを構成する樹脂としては特に限定するものではないが、通常はＡＢＳ樹脂が用いられ、ＰＶＣ樹脂の使用も可能である。尚、タイルを構成する樹脂中には顔料を代表とする着色剤や抗菌剤或いは防黴剤を配合し、各々の目的に対応させることも可能である。尚、抗菌剤及び防黴剤の使用は特に限定するものはないが、前者の例としては銀ゼオライト系や銀錯体系の抗菌剤、後者の例としてはニトリル系、イソチアゾリン系、イミダゾ−ル系の防黴剤等がある。そして、このタイルには好ましくは表面にクリア塗装が施されるのがよく、例えばアクリル樹脂がコ−ティングされ、或いは紫外線等にて架橋されるアクリル樹脂をコ−ティングしてクリア塗装面を形成するのが良い。
【００１１】
又、本発明の第２であるユニットル−ムにあっては、壁面に形成した穿孔部にかかるタイルを装着して加飾効果を高めたものであり、例えばこの穿孔部をル−ム壁面に水平方向に一定間隔を持って穿孔し、これにタイルを装着することによって加飾を施すことができることとなったものである。
【００１２】
【実施例】
以下、本発明の実施例を図面をもって更に詳細に説明する。
図１は本発明のタイルの第１例を示す正面図、図２は裏面図、図３は側面図、図４はＡ−Ａ線における部分拡大断面図である。図中、符号１はＡＢＳ樹脂によって構成されたタイルであり、２はプレ−ト部、３はその裏面の略中央に形成した突起である。そしてこの例にあってはプレ−ト部２の一辺は１００ｍｍの正方形をなし、その厚さは１．５ｍｍ、突起３の太さは４ｍｍ、高さは７ｍｍであった。プレ−ト部２の四周縁部はこの例では表面側２ａ及び裏面側２ｂより共に面取部２ｃ、２ｄがなされている。そして、このプレ−ト部２の裏面部２ｂ及び面取部２ｄにはシリコン系のシ−リング材４を層状に充填したものである。
【００１３】
前記突起３にあっては、その先端よりプレ−ト部２に対する基部に至る空洞部３ａを形成したものであって、この空洞部３ａを形成したことによりプレ−ト部２に現れる成形時における樹脂のヒケを生ずることがなく、プレ−ト部２の表面を極めて所望の面とすることが可能となったものである。
【００１４】
図５はこの壁装飾用タイルを成形する際の成型工程を示す略図であり、タイル表面側即ちプレ−ト部２の表面側２ａを形成するキャビティ２１を有する下モ−ルド２２と、タイルの裏面側２ｂを形成するキャビティ２３を有する上モ−ルド２４とを合わせ、このキャビティ２１、２３内にＡＢＳ樹脂を射出成形するものである。好ましくはＡＢＳ樹脂中に抗菌剤や防黴剤が配合されたものである。
【００１５】
ここで得られた壁装飾用タイルにおける抗菌、防黴効果をＡＳＴＭ法（ショ糖０．１５％添加）による評価を実施した。添加剤としてはカビノン８００（東亜合成製）及びＫＢ９（タイメイテック製）を夫々０．５部樹脂に加えたタイル１、タイル２を製造し、添加剤を加えないタイル３との比較を行った。タイル１〜３の評価は順に１、２、３であった。尚、評価１は黴の発生が１０％以下、２は黴の発生が１０〜３０％、３は黴の発生が３０〜６０％である。
【００１６】
図６は本発明のタイルの第２例を示す図４と同様の断面図である。この例にあっては、プレ−ト部２の四周縁部に表面側２ａより面取部２ｃが形成されこれに対応して裏面側２ｂの四周縁部にはフランジ部２ｅが形成された例である。従って、シ−リング材４はこのフランジ部２ｅに囲まれた部位に主として充填されることとなる。
【００１７】
又、この例では突起３の形状も特異的であり、突起３を高さ方向に２分するスリット３ｂが形成され、更にその先端には傘状の膨出部３ｃが形成されたものである。このスリット３ｂは前記した樹脂のヒケの発生を低下させると共に突起３の径方向に弾発性を付与することを主とするものであり、壁における穿孔部との装着性を高めたものである。そして、かかる突起３に形成した傘状の膨出部３ｃはこれ又壁の穿孔部との装着に利用され、これによってタイルとの間での脱落の発生がなくなったものである。
【００１８】
図７は本発明の第２におけるユニットル−ムの一面を示す平面図であり、図８はＢ−Ｂ線での断面図である。符号３０はユニットル−ムを構成する単位パネルであり、この単位パネル３０の表面には２００×２５０ｍｍの方形を区画する溝部３１が形成され矩形部３２を構成する。この例では単位パネル３０はＦＲＰ製であって、上下のモ−ルドに形成したキャビティ内にシ−トモ−ルディング法によって成形したものである。この単位パネル３０の裏面には通常は格子状のリブ３３と、裏面の周辺に連接用のフランジ３４を備えたものである。前記矩形部３２には対向する辺より５０ｍｍの部位に穿孔部３５を穿孔し、この穿孔部３５内に本発明のタイル１の突起４を装着したものである。
【００１９】
尚、このタイルによる加飾はユニットル−ムの全周に施す必要はなく、例えばその一面にこれを施すことも可能であり、場合によっては一つのタイルを装着して目的を達成することも可能である。
【００２０】
尚、本発明におけるタイルの構造を応用したものとしては、ユニットル−ム中に新たな機能をもたらすための部材を装着しようとする場合に応用することができ、例えばユニットル−ム内へ鏡や小物置き棚を装着する際、鏡や棚の裏側を本発明のタイルと同様な構造とし、且つシ−リング材を充填すればユニットル−ムの所望の位置に鏡や棚を装着することができることとなったものであり、更に、場合によってはユニットル−ムの部分補修用手段にも採用される等その応用範囲は広い。
【００２１】
【発明の効果】
本発明は上記のタイル及びこれに用いたユニットル−ムであって、ユニットル−ムに優れた加飾性を付与することとなったものである。
【図面の簡単な説明】
【図１】図１は第１発明のタイルの第１例における正面図である。
【図２】図２は図１の裏面図である。
【図３】図３は図１の側面図である。
【図４】図４はＡ−Ａ線での部分拡大断面図である。
【図５】図５はこの壁装飾用タイルを成形する際の成形工程を示す略図である。
【図６】図６は第１発明のタイルの第２例における図４と同様の拡大断面図である。
【図７】図７は本発明の第２におけるユニットル−ムの一面を示す平面図である。
【図８】図８はＢ−Ｂ線での断面図である。
【符号の説明】
１‥‥壁装飾用タイル、
２‥‥タイルのプレ−ト部、
２ａ‥‥プレ−ト表面、
２ｂ‥‥プレ−ト裏面、
２ｃ‥‥プレ−ト表面側面取部、
２ｄ‥‥プレ−ト裏面側面取部、
２ｅ‥‥プレ−ト裏面のフランジ部、
３‥‥突起、
３ａ‥‥空胴部、
３ｂ‥‥スリット部、
３ｃ‥‥膨出部、
４‥‥シ−リング材、
２２‥‥タイル表面側を形成する下モ−ルド、
２４‥‥タイル裏面側を形成する上モ−ルド、
３０‥‥ユニットル−ムを構成する単位パネル、
３３‥‥単位パネルの裏側に形成したリブ、
３４‥‥単位パネルの裏側に形成したフランジ部、
３５‥‥穿孔部。
【図１】
0004227237.tif 000002
【図２】
0004227237.tif 000003
【図３】
0004227237.tif 000004
【図４】
0004227237.tif 000005
【図５】
0004227237.tif 000006
【図６】
0004227237.tif 000007
【図７】
0004227237.tif 000008
【図８】
0004227237.tif 000009